(57)【特許請求の範囲】
【請求項１】
第１表示領域及び前記第１表示領域を囲む額縁領域が設けられた第１表示装置と、
第２表示領域及び前記第２表示領域を囲む額縁領域が設けられた第２表示装置と、
前記第１表示領域及び前記第２表示領域を覆い、前記第１表示領域及び前記第２表示領域に対向する光入射面と、前記光入射面とは反対側の光出射面と、を有する光学板と、
を備え、
前記光学板は、前記第１表示領域の任意の第１点から出射され前記光入射面に入射した光の少なくとも一部を、前記光出射面における前記第１表示領域に対して直交し前記第１点を通過する直線よりも前記第２表示領域側に位置する第２点から前記直線が延びる方向に出射させ、
前記光学板は、前記第１点から、前記直線に対して前記第２表示領域側に傾斜した方向に出射した光を、その進行方向が前記直線が延びる方向に近づくように変化させて、前記第２点から出射させ、
前記光学板は、前記第２表示領域の任意の第３点から出射され前記光入射面に入射した光の少なくとも一部を、前記光出射面における前記第２表示領域に対して直交し前記第３点を通過する直線よりも前記第１表示領域側に位置する第４点から前記直線が延びる方向に出射させ、
前記光学板は、前記第３点から、前記直線に対して前記第１表示領域側に傾斜した方向に出射した光を、その進行方向が前記直線が延びる方向に近づくように変化させて、前記第４点から出射させ、
前記光学板には、複数本のプリズムが形成され、
各前記プリズムには、第１面と第２面が形成されており、前記第１面と前記光出射面とのなす角度は、前記第２面と前記光出射面とのなす角度より小さく、
前記光学板における前記第１表示領域の直上域に相当する部分に形成されたプリズムにおいては、前記第１面は前記第２表示領域側に向き、前記第２面は、前記第２表示領域側と反対側に向いており、
前記光学板における前記第２表示領域の直上域に相当する部分に形成されたプリズムにおいては、前記第１面は前記第１表示領域側に向き、前記第２面は、前記第１表示領域側と反対側に向き、
前記プリズムは、前記光学板における前記第１表示領域から前記第２表示領域に向かう方向に対して直交する第１方向に延びていることを特徴とする映像表示装置。
【請求項２】
前記光学板の厚さは、前記第１方向に沿って周期的に変化していることを特徴とする請求項１記載の映像表示装置。
【請求項３】
第１表示領域及び前記第１表示領域を囲む額縁領域が設けられた第１表示装置と、
第２表示領域及び前記第２表示領域を囲む額縁領域が設けられた第２表示装置と、
前記第１表示領域及び前記第２表示領域を覆い、前記第１表示領域及び前記第２表示領域に対向する光入射面と、前記光入射面とは反対側の光出射面と、を有する光学板と、
を備え、
前記光学板は、前記第１表示領域の任意の第１点から出射され前記光入射面に入射した光の少なくとも一部を、前記光出射面における前記第１表示領域に対して直交し前記第１点を通過する直線よりも前記第２表示領域側に位置する第２点から前記直線が延びる方向に出射させ、
前記光学板は、前記第１点から、前記直線に対して前記第２表示領域側に傾斜した方向に出射した光を、その進行方向が前記直線が延びる方向に近づくように変化させて、前記第２点から出射させ、
前記光学板は、前記第２表示領域の任意の第３点から出射され前記光入射面に入射した光の少なくとも一部を、前記光出射面における前記第２表示領域に対して直交し前記第３点を通過する直線よりも前記第１表示領域側に位置する第４点から前記直線が延びる方向に出射させ、
前記光学板は、前記第３点から、前記直線に対して前記第１表示領域側に傾斜した方向に出射した光を、その進行方向が前記直線が延びる方向に近づくように変化させて、前記第４点から出射させ、
前記光学板には、複数本のプリズムが形成され、
前記プリズムは、前記光学板における前記第１表示領域から前記第２表示領域に向かう方向に対して直交する第１方向に延び、
前記光学板の厚さは、前記第１方向に沿って周期的に変化していることを特徴とする映像表示装置。
【請求項４】
隣り合う前記プリズムにおいて、前記厚さの変化の位相を一定の位相だけずらすことを特徴とする請求項１〜３のいずれか１つに記載の映像表示装置。
【請求項５】
前記第１表示領域には、複数の画素フィルターが設けられ、前記画素フィルターは、前記第１表示領域に平行な面内における第２方向及び前記第２方向に交差する第３方向に沿って２次元的に配列され、
前記第１方向は、前記第２方向及び前記第３方向と交差することを特徴とする請求項１〜４のいずれか１つに記載の映像表示装置。
【請求項６】
前記第１表示領域には、複数の画素フィルターが設けられ、前記画素フィルターは、前記第１表示領域に平行な面内における第２方向及び前記第２方向に交差する第３方向に２次元的に配列され、
前記第１方向は、前記第２方向または前記第３方向と同一方向であることを特徴とする請求項１〜５のいずれか１つに記載の映像表示装置。
【請求項７】
前記第１表示装置及び前記第２表示装置からなる組が２つ設けられており、
前記２つの組を構成する前記第１表示装置及び前記第２表示装置が２行２列のマトリックス状に配置されており、
２つの行の間の境界にＸ軸を想定し、２つの列の間の境界にＹ軸を想定した場合に、
１組の前記第１表示装置及び前記第２表示装置は、ＸＹ座標系における第１象限及び第３象限に配置されており、
もう１組の前記第１表示装置及び前記第２表示装置は、ＸＹ座標系における第２象限及び第４象限に配置されていることを特徴とする請求項１〜６のいずれか１つに記載の映像表示装置。
【発明の詳細な説明】
【技術分野】
【０００１】
本発明の実施形態は、映像表示装置に関する。
【背景技術】
【０００２】
大画面に表示される画像を、複数の表示装置を並べて表示させる場合には、それぞれの表示装置に、分割した画像を表示し、全体として一つの画像を大画面に表示している。
しかしながら、表示装置には額縁があるために、複数の表示装置を並べて表示させた場合には、画像に継ぎ目が生じる。
【０００３】
このような継ぎ目を除去する一つの方法として、レンズアレイを用いる方法がある。表示装置の表示面にレンズアレイを配置し、各表示装置が表示した画像を、レンズアレイによって拡大してスクリーンに投影する。
【０００４】
しかし、この方法では、分割した画像をレンズアレイによってスクリーンへ投影する際に、分割した画像同士を精度良くオーダーラップさせるため、アレイ毎に２枚のレンズが必要となる。そのような映像表示装置は、薄型化が困難であり、ノート型パーソナルコンピュータやポータブルディスプレイといった小型映像表示装置には不向きである。
【先行技術文献】
【特許文献】
【０００５】
【特許文献１】特開２００１−１４７４８６号公報
【発明の概要】
【発明が解決しようとする課題】
【０００６】
本発明の実施形態は、複数の表示装置を組み合わせて構成した映像表示装置において、複数の表示装置によって表示された複数の画像間の継ぎ目を細くして表示することができる映像表示装置を提供する。
【課題を解決するための手段】
【０００７】
実施形態に係る映像表示装置は、第１表示領域及び前記第１表示領域を囲む額縁領域が設けられた第１表示装置と、第２表示領域及び前記第２表示領域を囲む額縁領域が設けられた第２表示装置と、前記第１表示領域及び前記第２表示領域を覆い、前記第１表示領域及び前記第２表示領域に対向する光入射面と、前記光入射面とは反対側の光出射面と、を有する光学板と、を備え、前記光学板は、前記第１表示領域の任意の第１点から出射され前記光入射面に入射した光の少なくとも一部を、前記光出射面における前記第１表示領域に対して直交し前記第１点を通過する直線よりも前記第２表示領域側に位置する第２点から前記直線が延びる方向に出射させ、前記光学板は、前記第１点から、前記直線に対して前記第２表示領域側に傾斜した方向に出射した光を、その進行方向が前記直線が延びる方向に近づくように変化させて、前記第２点から出射させ、前記光学板は、前記第２表示領域の任意の第３点から出射され前記光入射面に入射した光の少なくとも一部を、前記光出射面における前記第２表示領域に対して直交し前記第３点を通過する直線よりも前記第１表示領域側に位置する第４点から前記直線が延びる方向に出射させ、前記光学板は、前記第３点から、前記直線に対して前記第１表示領域側に傾斜した方向に出射した光を、その進行方向が前記直線が延びる方向に近づくように変化させて、前記第４点から出射させ、前記光学板には、複数本のプリズムが形成され、各前記プリズムには、第１面と第２面が形成されており、前記第１面と前記光出射面とのなす角度は、前記第２面と前記光出射面とのなす角度より小さく、前記光学板における前記第１表示領域の直上域に相当する部分に形成されたプリズムにおいては、前記第１面は前記第２表示領域側に向き、前記第２面は、前記第２表示領域側と反対側に向いており、前記光学板における前記第２表示領域の直上域に相当する部分に形成されたプリズムにおいては、前記第１面は前記第１表示領域側に向き、前記第２面は、前記第１表示領域側と反対側に向き、前記プリズムは、前記光学板における前記第１表示領域から前記第２表示領域に向かう方向に対して直交する第１方向に延びている。
【図面の簡単な説明】
【０００８】
【図１】第１の実施形態に係る映像表示装置を例示する斜視図である。
【図２】第１の実施形態に係る映像表示装置を例示する断面図である。
【図３】（ａ）は、第１の実施形態における表示装置を例示する平面図であり、（ｂ）は、第１の実施形態に係る映像表示装置を例示する平面図である。
【図４】第１の実施形態における光学板を例示する斜視図である。
【図５】第２の実施形態における光学板を例示する斜視図である。
【図６】第３の実施形態における光学板を例示する斜視図である。
【図７】（ａ）は、第４の実施形態における表示装置を例示する平面図であり、（ｂ）は、第４の実施形態に係る映像表示装置を例示する平面図である。
【図８】（ａ）は、第５の実施形態における表示装置を例示する平面図であり、（ｂ）は、第５の実施形態に係る映像表示装置を例示する平面図である。
【発明を実施するための形態】
【０００９】
（第１の実施形態）
以下、本発明の実施形態について図面を参照して詳細に説明する。
図１は、第１の実施形態に係る映像表示装置を例示する斜視図である。
図２は、第１の実施形態に係る映像表示装置を例示する断面図である。
図３（ａ）は、第１の実施形態における表示装置を例示する平面図であり、図３（ｂ）は、第１の実施形態に係る映像表示装置を例示する平面図である。
図４は、第１の実施形態における光学板を例示する斜視図である。
【００１０】
図１〜図３に示すように、本実施形態に係る映像表示装置１には、複数の表示装置、例えば、２つの表示装置１１ａ及び表示装置１１ｂと、光学板２１とが設けられている。
表示装置１１ａ及び表示装置１１ｂは、互いに隣り合うように配置されている。
表示装置１１ａには、表示領域３１ａが設けられている。表示装置１１ｂには、表示領域３１ｂが設けられている。
また、表示装置１１ａ及び表示装置１１ｂには、表示領域３１ａ及び表示領域３１ｂを囲む額縁領域４１が設けられている。
額縁領域４１は、例えば、長方形の形状をした表示領域３１ａの長い辺に沿った領域４１ａと短い辺に沿った領域４１ｂとから構成されている。
【００１１】
光学板２１は、表示領域３１ａ及び表示領域３１ｂを覆うように設けられている。
表示領域３１ａ及び表示領域３１ｂには、複数の画素フィルター４２が設けられている。各画素フィルター４２は、例えば赤色（Ｒ）、緑色（Ｇ）及び青色（Ｂ）のいずれかの色からなるフィルターである。各画素フィルター４２は、複数の画素が設けられた表示領域３１ａ上の各画素上に設けられている。
画素フィルター４２は、表示領域３１ａ及び表示領域３１ｂの面内における直交する２つの方向、例えば、表示領域３１ａ及び表示領域３１ｂの長い辺が延びる方向（以下、「水平方向」という）と、短い辺が延びる方向（以下、「垂直方向」という）に沿って、２次元的に配置されている。表示装置１１ａ及び表示装置１１ｂの配列方向は、水平方向に一致している。
【００１２】
図４に示すように、光学板２１には、複数本のプリズム２４が形成されている。プリズム２４は、光学板２１における表示領域３１ａ及び表示領域３１ｂ側の光入射面４８に設けられている。
各プリズム２４は、表示領域３１ａ及び３１ｂに対して平行な方向であって、表示領域３１ａ側から表示領域３１ｂ側へ向かう方向と直交する方向、すなわち垂直方向に延びている。また、複数のプリズム２４は、表示領域３１ａ側から表示領域３１ｂ側へ向かう方向、すなわち水平方向において周期的に配置されている。
【００１３】
プリズム２４には、光学板２１における表示領域３１ａ及び表示領域３１ｂとは反対側の光出射面４５となす角度が異なる２つの面２５及び面２６を含んでいる。面２５及び面２６は、プリズムが延びる方向に延びている。光出射面４５と面２５とのなす角度は、光出射面４５と面２６とのなす角度より小さい。
光学板２１における表示領域３１ａ上の部分のプリズム２４において、面２５は表示領域３１ｂ側に向いている。また、面２６は、表示領域３１ｂ側と反対側に向いている。
一方、光学板２１における表示領域３１ｂ上の部分のプリズム２４において、面２５は表示領域３１ａ側に向いている。また、面２６は、表示領域３１ａ側と反対側に向いている。
【００１４】
次に、本実施形態に係る映像表示装置１の動作について説明する。
本実施形態に係る映像表示装置１においては、表示装置１１ａが表示領域３１ａに画像５１ａを表示すると共に、表示装置１１ｂが表示領域３１ｂに画像５１ｂを表示する。表示領域３１ａに表示された画像５１ａと表示領域３１ｂに表示された画像５１ｂとの間には、額縁領域４１が挟まれている。すなわち、画像５１ａと画像５１ｂとの間の距離は、少なくとも２本の額縁領域４１の幅以上となっている。
【００１５】
光学板２１は、表示領域３１ａの任意の点４３ａから出射された光４４ａの少なくとも一部を、光出射面４５における表示領域３１ａに対して直交し点４３ａを通過する直線４６ａよりも表示領域３１ｂ側に位置する点４７ａから出射させる。このとき、光学板２１は、点４３ａから、直線４６ａに対して表示領域３１ｂ側に傾斜した方向に出射した光を、その進行方向が直線４６ａが延びる方向に近づくように変化させて、点４７ａから出射させる。これにより、点４３ａから出射された光４４ａの一部は、点４７ａから直線４６ａが延びる方向に出射する。
【００１６】
一方、光学板２１は、表示領域３１ｂの任意の点４３ｂから出射された光４４ｂの少なくとも一部を、光出射面４５における表示領域３１ｂに対して直交し点４３ｂを通過する直線４６ｂよりも表示領域３１ａ側に位置する点４７ｂから出射させる。このとき、光学板２１は、点４３ｂから、直線４６ｂに対して表示領域３１ａ側に傾斜した方向に出射した光を、その進行方向が直線４６ｂが延びる方向に近づくように変化させて、点４７ｂから出射させる。これにより、点４３ｂから出射された光４４ｂの一部は、点４７ｂから直線４６ｂが延びる方向に出射する。
【００１７】
これにより、映像表示装置１の正面であって、光出射面４５に対して垂直な方向から映像表示装置１を見た場合に、表示領域３１ａに表示された画像５１ａは、光出射面４５においては、表示領域３１ｂ側に位置が移動されて表示される。一方、表示領域３１ｂに表示された画像５１ｂは、光出射面４５においては、表示領域３１ａ側に位置が移動されて表示される。このとき、光出射面４５における画像５１ａ及び画像５１ｂは、表示領域３１ａ及び表示領域３１ｂにおける画像５１ａ及び画像５１ｂと同じ大きさとなる。
【００１８】
この結果、光出射面４５において、画像５１ａと画像５１ｂとの間に配置される額縁領域４５は、その幅が表示領域３１ａ及び３１ｂにおける額縁領域４５の幅よりも、狭く表示される。すなわち、画像５１ａと画像５１ｂとの間の距離は、２本の額縁領域４１の幅より小さくなる。特に、表示領域３１ａ、表示領域３１ｂ及び光学板２１の位置関係を最適化し、最適な位置から見た場合には、光出射面４５において、額縁領域４１の幅はゼロとなる。すなわち、額縁領域４１は視認されない。
【００１９】
次に、本実施形態の効果について説明する。
本実施形態に係る映像表示装置１によれば、額縁領域４１が設けられた表示装置１１ａ及び表示装置１１ｂを並べて配置し、表示領域３１ａ及び表示領域３１ｂにそれぞれ画像５１ａ及び画像５１ｂを表示させた場合に、光出射面４５に垂直な方向から見ると、光出射面４５においては、画像５１ａ及び画像５１ｂの間の距離が短くなり、額縁領域４１が狭く表示される。特に、各表示領域及び光学板２１並びに視点の位置関係が最適化された場合には、光出射面４５において、額縁領域４１の幅はゼロとなり、額縁領域４１は視認されない。したがって、画像５１ａ及び画像５１ｂを継ぎ目のない１枚の画像として表示することができる。
【００２０】
また、表示装置１１ａ及び表示装置１１ｂに表示された画像５１ａ及び画像５１ｂの位置だけを移動させているので、レンズを用いた場合のように、画像は拡大されていない。よって、光出射面４５を、２つの表示領域３１ａ及び表示領域３１ｂ並びに額縁領域４１を合わせた面積以上にする必要がなく、大型の装置を必要としない。
更に、光学板２１として複数のプリズムを配列させている。よって、表示領域３１ａを底面とする一つのプリズムと同じ機能を持ちながら、そのようなプリズムより、光学板２１を薄くすることができる。
更にまた、光学板は一枚なので、映像表示装置１を薄型化することができる。
【００２１】
（第２の実施形態）
図５は、第２の実施形態における光学板を例示する斜視図である。
図５に示すように、第２の実施形態における光学板２２においては、複数本のプリズム２４を含む光学板の厚さが、プリズム２４の配列方向（水平方向）だけでなく、プリズム２４が延びる方向（垂直方向）に沿っても一定の範囲内で変化している。なお、プリズム２４が延びる方向において、光学板の厚さは、一定の周期で変化していてもよく、ランダムに変化していてもよい。
また、厚さが一定の周期で変化している場合に、厚さの振幅は一定である必要はない。
【００２２】
前述の第１の実施形態においては、光学板２１を透過した光による画像にモアレが発生する場合がある。モアレは、画素フィルター４２を配置する周期と、プリズム２４の延びる方向における面２５及び面２６の視覚で確認できないほど微少なうねりの周期との干渉、または、画素フィルター４２を配置する周期と、プリズム２４を配置する方向におけるプリズム２４の形状に沿って光学板２１の厚さが変化する周期との干渉で生じる干渉縞として表れる。モアレが、視覚で確認できるほど長周期なものになった場合には、映像表示装置の視認性を著しく低下させる。
【００２３】
本実施形態に係る光学板２２が設けられた映像表示装置によれば、プリズム２４の延びる方向における面２５及び面２６の視覚で確認できないほど微少なうねりの周期性を乱しているので、画素フィルター４２を配置する周期との干渉を防ぐことができる。よって、モアレの発生を抑制することができる。
【００２４】
（第３の実施形態）
図６は、第３の実施形態における光学板を例示する斜視図である。
図６に示すように、本実施形態に係る光学板２３は、プリズム２４が延びる方向に沿って周期的に厚さを変化させる場合に、隣り合うプリズム２４について、厚さの変化の位相を（π/２）だけずらした形状とされている。なお、ずらす位相は（π/２）に限らない。
【００２５】
本実施形態に係る光学板２３が設けられた映像表示装置によれば、プリズム２４を配置する方向におけるプリズム２４の形状に沿って光学板２１の厚さが変化する周期性を乱すことができる。これにより、モアレの発生を抑制することができる。
【００２６】
（第４の実施形態）
次に、第４の実施形態に係る映像表示装置について説明する。
図７（ａ）は、第４の実施形態における表示装置を例示する平面図であり、図７（ｂ）は、第４の実施形態に係る映像表示装置を例示する平面図である。
図７に示すように、映像表装置２においては、４つの表示装置１１ａ、１１ｂ、１２ａ及び１２ｂが設けられている。４つの表示装置１１ａ、１１ｂ、１２ａ及び１２ｂは、２行２列のマトリックス状に配置されている。また、各表示装置１１ａ、１１ｂ、１２ａ及び１２ｂには、それぞれ、表示領域３１ａ、３１ｂ、３２ａ及び３２ｂが設けられている。
【００２７】
表示装置の配置を説明するために、ＸＹ座標系を導入する。表示装置１１ａ、１１ｂ、１２ａ及び１２ｂを２行２列のマトリックスに配置する場合に、２つの行の間の境界をＸ軸とし、Ｘ軸方向の一方を＋Ｘ方向、その逆方向を−Ｘ方向とする。２つの列の間の境界をＹ軸とし、Ｙ軸方向の一方を＋Ｙ方向、その逆方向を−Ｙ方向とする。ＸＹ座標系における第１象限及び第３象限に、表示装置１１ａ及び表示装置１１ｂを配置する。ＸＹ座標系における第２象限及び第４象限に、表示装置１２ａ及び表示装置１２ｂを配置する。これにより、表示装置１１ａ及び１２ａは１つの行を構成し、表示装置１２ｂ及び１１ｂは１つの行を構成する。また、表示装置１１ａ及び１２ｂは１つの列を構成し、表装置１２ａ及び１１ｂは１つの列を構成する。
そして、４つの表示領域３１ａ、３１ｂ、３２ａ及び３２ｂ上に、１枚の光学板２１が設けられている。
【００２８】
光学板２１における表示領域３１ａ及び表示領域３１ｂ上に配置された部分には、表示領域３１ａから表示領域３１ｂに向かう方向と直交する方向に延びるように複数のプリズム２４が配置されている。また、光学板２１における表示領域３１ａ上の部分のプリズム２４において、面２５は表示領域３１ｂ側に向いている。また、面２６は、表示領域３１ｂ側と反対側に向いている。さらに、光学板２１における表示領域３１ｂ上の部分のプリズム２４において、面２５は表示領域３１ａ側に向いている。また、面２６は、表示領域３１ａ側と反対側に向いている。
【００２９】
また、光学板２１における表示領域３２ａ及び表示領域３２ｂ上に配置された部分には、表示領域３２ａから表示領域３２ｂに向かう方向と直交する方向に延びるように複数のプリズム２４が配置されている。また、光学板２１における表示領域３２ａ上の部分のプリズム２４において、面２５は表示領域３２ｂ側に向いている。また、面２６は、表示領域３１ｂ側と反対側に向いている。さらに、光学板２１における表示領域３２ｂ上の部分のプリズム２４において、面２５は表示領域３２ａ側に向いている。また、面２６は、表示領域３２ａ側と反対側に向いている。
【００３０】
すなわち、本実施形態においては、光学板２１は各表示領域に対応して４つの領域に分けることができ、領域間でプリズム２４が延びる方向が異なっている。また、いずれの領域においても、プリズム２４が延びる方向は、水平方向及び垂直方向の双方に対して傾斜した方向である。
【００３１】
本実施形態に係る映像表示装置２によれば、光出射面４５に垂直な方向から見て、表示領域３１ａ及び表示領域３１ｂにおける映像５１ａと映像５１ｂは、光出射面４５において互いに近づくように位置が移動して表示される。また、表示領域３２ａ及び表示領域３２ｂにおける映像５２ａ及び映像５２ｂも、光出射面４５において互いに近づくように位置が移動して表示される。
【００３２】
これにより、額縁領域４１が設けられた表示装置１１ａ、表示装置１１ｂ、表示装置１２ａ及び表示装置１２ｂを並べて配置し、表示領域３１ａ、表示領域３１ｂ、表示領域３２ａ及び表示領域３２ｂにそれぞれ画像５１ａ、５１ｂ、５２ａ及び５２ｂを表示させた場合に、光出射面４５においては、画像間の距離が短くなり、額縁領域４１が狭く表示される。特に、各表示領域及び光学板並びに視点の位置関係が最適化された場合には、光出射面４５において、画像５１ａ、５１ｂ、５２ａ及び５２ｂを継ぎ目ない１枚の画像として表示することができる。
【００３３】
（第５の実施形態）
次に、第５の実施形態に係る映像表示装置について説明する。
図８（ａ）は、第５の実施形態における表示装置を例示する平面図であり、（ｂ）は、第５の実施形態に係る映像表示装置を例示する平面図である。
図８に示すように、映像表装置３は、９つの表示装置１１ａ、１１ｂ、１２ａ、１２ｂ１３ａ、１３ｂ、１４ａ、１４ｂ及び１５が設けられている。９つの表示装置１１ａ、１１ｂ、１２ａ、１２ｂ、１３ａ、１３ｂ、１４ａ、１４ｂ及び１５には、それぞれ表示領域３１ａ、３１ｂ、３２ａ、３２ｂ、３３ａ、３３ｂ、３４ａ、３４ｂ及び３５が設けられている。
９つの表示装置１１ａ、１１ｂ、１２ａ、１２ｂ、１３ａ、１３ｂ、１４ａ、１４ｂ及び１５は、３行３列のマトリックス状に配置されている。表示装置１１ａ、１２ａ及び１３ａは１つの行を構成し、表示装置１４ｂ、１５、１４ａは、１つの行を構成し、表示装置１３ｂ、１２ｂ及び１１ｂは１つの行を構成している。
【００３４】
また、表示装置１１ａ、１４ｂ及び１３ｂは１つの列を構成し、表装置１２ａ、１５及び１２ｂは１つの列を構成し、表示装置１３ａ、１４ａ及び１１ｂは１つの列を構成している。表示装置１５は、マトリックスの中央に位置している。
そして、９つの表示領域上に、１枚の光学板２１が設けられている。
【００３５】
光学板２１における表示領域３１ａ及び表示領域３１ｂ上に配置された部分には、表示領域３１ａから表示領域３１ｂに向かう方向と直交する方向に延びるように複数のプリズム２４が配置されている。また、光学板２１における表示領域３１ａ上の部分のプリズム２４において、面２５は表示領域３１ｂ側に向いている。また、面２６は、表示領域３１ｂ側と反対側に向いている。さらに、光学板２１における表示領域３１ｂ上の部分のプリズム２４において、面２５は表示領域３１ａ側に向いている。また、面２６は、表示領域３１ａ側と反対側に向いている。
【００３６】
また、光学板２１における表示領域３２ａ及び表示領域３２ｂ上に配置された部分には、表示領域３２ａから表示領域３２ｂに向かう方向と直交する方向に延びるように複数のプリズム２４が配置されている。また、光学板２１における表示領域３２ａ上の部分のプリズム２４において、面２５は表示領域３２ｂ側に向いている。また、面２６は、表示領域３１ｂ側と反対側に向いている。さらに、光学板２１における表示領域３２ｂ上の部分のプリズム２４において、面２５は表示領域３２ａ側に向いている。また、面２６は、表示領域３２ａ側と反対側に向いている。
【００３７】
さらに、光学板２１における表示領域３３ａ及び表示領域３３ｂ上に配置された部分には、表示領域３３ａから表示領域３３ｂに向かう方向と直交する方向に延びるように複数のプリズム２４が配置されている。また、光学板２１における表示領域３３ａ上の部分のプリズム２４において、面２５は表示領域３３ｂ側に向いている。また面２６は、表示領域３３ｂ側と反対側に向いている。さらに光学板２１における表示領域３３ｂ上の部分のプリズム２４において、面２５は表示領域３３ａ側に向いている。また、面２６は、表示領域３３ａ側と反対側に向いている。
【００３８】
光学板２１における表示装置３４ａ及び表示装置３４ｂ上に配置された部分には、表示領域３４ａから３４ｂに向かう方向と直交する方向に延びるように複数のプリズム２４が配置されている。また、光学板２１における表示領域３４ａ上の部分のプリズム２４において、面２５は表示領域３４ｂ側に向いている。また、面２６は、表領領域３４ｂ側と反対側に向いている。さらに光学板２１における表示領域３４ｂ上の部分のプリズム２４において、面２５は表示領域３４ａ側に向いている。また、面２６は、表示領域３４ａ側と反対側に向いている。
【００３９】
一方、光学板２１における表示装置１５上に配置された部分は、表示領域３５に表示された画像５５を表示領域３５に垂直な方向にそのまま透過させる。そして、光出射面４５に垂直な方向から見て、画像５５は、光出射面４５において、位置が移動せずに表示される。例えば、光学板２１における表示装置１５上に配置された部分には、プリズムが形成されていない。
【００４０】
これにより、画像５５以外の画像、すなわち、８つの画像５１ａ、５１ｂ、５２ａ、５２ｂ、５３ａ、５３ｂ、５４ａ及び５４ｂは、光出射面４５において、その位置が画像５５に近づくように移動して表示される。
この結果、額縁領域４１が設けられた９つの表示装置１１ａ、１１ｂ、１２ａ、１２ｂ、１３ａ、１３ｂ、１４ａ、１４ｂ及び１５を並べて配置し、表示領域３１ａ、３１ｂ、３２ａ、３２ｂ、３３ａ、３３ｂ、３４ａ、３４ｂ及び３５にそれぞれ画像５１ａ、５１ｂ、５２ａ、５２ｂ、５３ａ、５３ｂ、５４ａ、５４ｂ及び５５を表示させた場合に、光出射面４５においては、画像間の距離が短くなり、額縁領域４１が狭く表示される。特に、各表示領域及び光学板並びに視点の位置関係が最適化された場合には、光出射面４５において、画像５１ａ、５１ｂ、５２ａ、５２ｂ、５３ａ、５３ｂ、５４ａ、５４ｂ及び５５を継ぎ目ない１枚の画像として表示することができる。
なお、前述した第１〜第５の実施形態において、プリズム２４は光学板２１の光入射面４８に形成されたが、これに限らない。プリズム２４は光学板２１の光出射面４５に形成されてもよいし、光入射面４８及び光出射面４５の両面に形成されてもよい。
【００４１】
以上説明した実施形態によれば、複数の表示装置を組み合わせて構成した映像表示装置において、複数の表示装置によって表示された複数の画像間の継ぎ目を細くして表示することができる映像表示装置を提供することができる。
【００４２】
以上、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明及びその等価物の範囲に含まれる。また、前述の各実施形態は、相互に組み合わせて実施することができる。
【符号の説明】
【００４３】
１：映像表示装置、２：映像表示装置、３：映像表示装置、１１ａ：表示装置、１１ｂ：表示装置、１２ａ：表示装置、１２ｂ：表示装置、１３ａ：表示装置、１３ｂ：表示装置、１４ａ：表示装置、１４ｂ：表示装置、１５：表示装置、２１：光学板、２２：光学板、２３：光学板、２４：プリズム、２５：面、２６：面、３１ａ：表示領域、３１ｂ：表示装置、３２ａ：表示領域、３２ｂ：表示領域、３３ａ：表示領域、３３ｂ：表示領域、３４ａ：表示領域、３４ｂ：表示領域、３５：表示領域、４１：額縁領域、４１ａ：領域、４１ｂ：領域、４２：画素フィルター、４３ａ：点、４３ｂ：点、４４ａ：光、４４ｂ：光、４５：光出射面、４６ａ：直線、４６ｂ：直線、４７ａ：点、４７ｂ：点、４８：光入射面、５１ａ：画像、５１ｂ：画像、５２ａ：画像、５２ｂ：画像、５３ａ：画像、５３ｂ：画像、５４ａ：画像、５４ｂ：画像、５５：画像
【図１】
0005450537.tif 000002
【図２】
0005450537.tif 000003
【図３】
0005450537.tif 000004
【図４】
0005450537.tif 000005
【図５】
0005450537.tif 000006
【図６】
0005450537.tif 000007
【図７】
0005450537.tif 000008
【図８】
0005450537.tif 000009